(57)【特許請求の範囲】
【請求項１】
外装体とその内部に納められる物品との間に配置し、物品のコーナー部分にあてがって物品を支えるために使用されるコーナーパッドであって、
物品に接する接触面と、その接触面の周縁部に隣接し、接触面に掛かる荷重を負担する支持手段としての側面とを有し、上記接触面と側面とは段ボール紙を含むシート状材料を打ち抜いて形成されており、側面は全て同じ方向へ折り曲げるとともに、要所を接着することにより立体に組み立てられたほぼトレイ状のパッド要素を複数個具備し、上記パッド要素は、少なくとも２個のものが接続部で一体化した状態にあり、かつ、その接続部にて折り曲げ可能であることによって、２個のパッド要素がほぼＬ字型の配置形態を取り、一方のパッド要素の接触面は、物品のコーナー部分を構成する２箇所のうちの一方の箇所に接触するとともに、一方のパッド要素の側面の底部は、外装体の内側の一面に接触し、また、他方のパッド要素の接触面は、物品のコーナー部分を構成する２箇所のうちの他方の箇所に接触するとともに、他方のパッド要素の側面の底部は、外装体の内側の他面に、それぞれ接触することにより、各パッド要素の側面にて接触面に掛かる荷重を負担するように構成されたコーナーパッド。
【請求項２】
複数個のパッド要素は、複数個の独立した部品であり、それらを接続部にて接続することにより、一体化した状態にある請求項１記載のコーナーパッド。
【請求項３】
パッド要素は、３個のものから成り、これらのパッド要素は、立方体形状を有する物体の隅角部を構成する３面に接触するように、相互にほぼ直交する配置を取るように接続部にて接続されている、請求項１記載のコーナーパッド。
【請求項４】
複数個のパッド要素は、それぞれの側面の部分に設けられた係合部と係合相手から成る係合手段により、ほぼＬ字型又は相互にほぼ直交する配置を取って固定されるように構成された請求項１記載のコーナーパッド。
【請求項５】
パッド要素の接触面には、第２の荷重負担部として凹状の部分が設けられており、その凹状の部分は、パッド要素に掛かる荷重を負担し、耐荷重強度を向上するように、パッド要素の側面による高さとほぼ等しい高さの支持部を有している請求項１記載のコーナーパッド。
【請求項６】
パッド要素は、その側面又は凹状の荷重負担部とともに、パッド要素に掛かる荷重を負担する第３の荷重負担部として、上記側面又は荷重負担部とほぼ同じ高さの支持材を有している請求項１記載のコーナーパッド。
【発明の詳細な説明】
【技術分野】
【０００１】
本発明は、外装体とその内部に納められる物品との間に配置し、物品のコーナー部分にあてがって物品を安定させるために使用されるコーナーパッドに関するものである。
【背景技術】
【０００２】
例えば、家庭用電気製品など、ある程度の重量があり、かつ、取り扱いに注意を必要とする商品は、いわゆるダンボール箱のような外装体に納めて取り扱われるものが多い。これらの商品の内、外装体の内部に納めた状態で、動かないように固定する必要がある場合には、コーナーパッドなどと称する固定部材が使用されている。従来のコーナーパッドには、発泡スチロールのような樹脂製品が多用されたが、種々の理由により処分の容易な紙製品に主流が移ってきた。
【０００３】
ダンボール紙を材料とするコーナーパッドには、実開平６−２７６２９号の緩衝性段ボールコーナーパッドの考案がある。同考案は、ダンボールよりなる台紙の四隅に、折り目線を介して、ほぼ正方形状の折り返し部を突出形成したものである。このため、台紙と一体構造のものに限られるとい物品の２以上の面に接して保護する必要のある場合には適さない。
【０００４】
これに対して特開平９−３０１４３９号のものは、ダンボール紙を材料とし、糊を使用せず、折り曲げて嵌合するだけで組み立てられる角コーナーパッドであり、対象物品の３面から成る角にあてがい、保護することができるように構成されている。しかし同発明の場合、ダンボール紙数枚を重ねた程度の厚さを有するに過ぎないため、緩衝効果を余り期待することができないと考えられる。これは、特開平１０−１６７３３２号の発明でも共通している。また、特開平１０−１６７３２８号のものは、古紙を材料とし、糊を使わずに固定できるコーナーパッドを開示しているが、これもダンボール紙１枚分の厚さを有するに過ぎない。
【０００５】
【特許文献１】実開平６−２７６２９号
【特許文献２】特開平９−３０１４３９号
【特許文献３】特開平１０−１６７３３２号
【特許文献４】特開平１０−１６７３２８号
【発明の開示】
【発明が解決しようとする課題】
【０００６】
本発明は前記の点にかんがみなされたもので、その課題は、対象の物品に掛かることが予測される荷重を確実に受け止め、物品を保護することに寄与するコーナーパッドを提供することである。また、本発明の他の課題は、ダンボール紙を含む材料に対する加工がより単純であり、かつ、材料のロスが少なくて済むコーナーパッドを提供することである。
【課題を解決するための手段】
【０００７】
前記の課題を解決するため本発明は、外装体とその内部に納められる物品との間に配置し、物品のコーナー部分にあてがって物品を安定させるために使用されるコーナーパッドについて、物品に接する接触面と、その接触面の周縁部に隣接し、接触面に掛かる荷重を負担する支持手段としての側面とを有し、上記接触面と側面とは段ボール紙を含むシート状材料を打ち抜いて形成されており、側面は全て同じ方向へ折り曲げるとともに、要所を接着することにより立体に組み立てられたほぼトレイ状のパッド要素を複数個具備し、上記パッド要素は、少なくとも２個のものが接続部で一体化した状態にあり、かつ、その接続部にて折り曲げ可能であることによって、２個のパッド要素がほぼＬ字型の配置形態を取り、一方のパッド要素の接触面は、物品のコーナー部分を構成する２箇所のうちの一方の箇所に接触するとともに、一方のパッド要素の側面の底部は、外装体の内側の一面に接触し、また、他方のパッド要素の接触面は、物品のコーナー部分を構成する２箇所のうちの他方の箇所に接触するとともに、他方のパッド要素の側面の底部は、外装体の内側の他面に、それぞれ接触することにより、各パッド要素の側面にて接触面に掛かる荷重を負担するように構成するという手段を講じたものである。
【０００８】
本発明に係るコーナーパッドは、外装体とその内部に納められる物品との間に配置し、物品のコーナー部分にあてがって物品を支えたり又は固定したりするために使用されるものである。この場合、物品のコーナー部分とは、２面が交差するようなコーナー部分と、３面が交差するような部分を含む。２面が交差するコーナーは、側面と上面又は下面とで作るような角である。これは、例えば円筒形の円筒部の角を支持するために必要である。３面が交差するコーナーは、２側面と上面又は下面とで作るような角である。これには、直方体状の隅角部などが該当する。
【０００９】
本発明に係るコーナーパッドは、対象となる物品に接して支えるための接触面を有しており、かつまた、接触面の周縁部に隣接し、接触面に掛かる荷重を負担する支持手段としての側面を有している。本発明に係るコーナーパッドは、ダンボール紙のようなシート状材料を使用して上記の接触面と側面とを打ち抜き、いわゆるプランクを作り、各部を折り曲げて組み立てることを前提としている。支持手段としての側面は、全て同じ方向へ折り曲げるとともに、要所を接着することによりほぼトレイ状に形成する。このトレイ状に組み立てられたものがパッド要素であり、このパッド要素を複数個具備することにより、本発明に係るコーナーパッドが形成される。
【００１０】
上記パッド要素は、少なくとも２個のものが接続部で一体化した状態にあり、かつ、その接続部にて折り曲げ可能であることによって、２個のパッド要素がほぼＬ字型の配置形態を取る。本発明のコーナーパッドが、最小限２個のパッド要素からなる場合は、２面が交差する、例えば円筒形の円筒部の角のような、側面と上面又は下面で作る角や、直方体の隅角部と隅角部との間の辺部分にあてがうためのコーナーパッドに適している。上記２個の内の一方のパッド要素の接触面は、物品のコーナー部分を構成する２箇所の内の一方の箇所に接触するとともに、一方のパッド要素の側面の底部は、外装体の内側の一面に接触し、また、他方のパッド要素の接触面は、物品のコーナー部分を構成する２箇所の内の他方の箇所に接触するとともに、他方のパッド要素の側面の底部は、外装体の内側の他面に、それぞれ接触することにより、各パッド要素の側面にて接触面に掛かる荷重を負担する。
【００１１】
本発明に係るコーナーパッドを構成する複数個のパッド要素は、複数個の独立した部品から成る場合と、複数個のパッド要素があらかじめ一体物としてダンボール紙のようなシート状材料から打ち抜かれている場合とがある。あらかじめ一体物として形成されているものである場合にはその必要はないが、複数個の独立した部品からなる場合には、それらを接続部にて接続することにより、一体化した状態にする。
【００１２】
パッド要素を、３個のものから構成できることは既に説明したとおりであるが、その場合、これらのパッド要素は、立方体形状を有する物体の隅角部を構成する３面に接触するように、相互にほぼ直交する配置を取るように接続部にて接続した状態に形成する。３個のパッド要素からなる場合にも、各パッド要素は独立した部品からなる場合と、あらかじめ一体物として形成されている場合の、二通りの形態を取る。３個のパッド要素は、それぞれの側面の部分に設けられた係合部と係合相手から成る係合手段により、相互にほぼ直交する配置を取って固定されるように構成される。
【００１３】
このような構成を有するパッド要素の接触面には、第２の荷重負担部として凹状の部分が設けることができ、その凹状の部分には、パッド要素に掛かる荷重を負担し、耐荷重強度を向上するように、パッド要素の側面による高さとほぼ等しい高さの支持部を有するものとする。凹状の部分は、パッド要素の側面の内側に、２重の荷重負担部分を形成するものであり、これにより、耐荷重部分が２倍に増えるので、耐荷重強度も２倍になると考えて良い。パッド要素は、その側面又は凹状の荷重負担部とともに、パッド要素に掛かる荷重を負担する第３の荷重負担部として、上記側面又は荷重負担部とほぼ同じ高さの支持材を具えることができる。
【００１４】
このように構成される、本発明のコーナーパッドは、複数個のパッド要素同士を、ほぼＬ字型の位置関係、或いは、相互に直交する位置関係を保持する手段を設けることができる。この位置保持手段は、複数個のパッド要素同士を、ほぼＬ字型、或いは、相互に直交する位置関係に配置したときに、対象とする物品と抵触しないように設けられる。
【発明の効果】
【００１５】
本発明は上記のように構成されかつ作用するものであるから、パッド要素を構成する側面を１重、２重或いは３重のように構成することにより、対象の物品に掛かることが予測される荷重を確実に受け止めることができ、物品を確実に保護することに寄与するコーナーパッドを提供することができる。また、本発明によれば、パッド要素を１個ずつ独立して形成し、接続部で接続することで一体にすることができるので、ダンボール紙を含む材料に対する加工がより単純であり、複雑な型を必要としないので、比較的廉価な型装置でプランクを作ることができ、かつ、型が複雑なものではないので、材料のロスも少なくて済む。
【発明を実施するための最良の形態】
【００１６】
以下図示の実施形態を参照して、本発明をより詳細に説明する。本発明の例１を、図１図２及び図３を参照して説明する。
【００１７】
例１のコーナーパッド１０は、物品Ｍに接する四辺形状の接触面１１と、接触面１１の４周縁部に隣接し、接触面１１に掛かる荷重を負担する支持手段としての４周の側面１２とを有し、側面１２は全て同じ方向へ折り曲げられ、かつ、要所に設けた糊代１３を接着することにより、四角な角錐台形状のほぼトレイ状に形成された、２個のパッド要素１５を具備している。上記パッド要素１５は、少なくとも２個のものが接続部１４で一体化した状態にあり、かつ、その接続部１４との境界線１６を折り曲げ線として折り曲げ可能である。このプランク１７は、複数個のパッド要素があらかじめ一体物としてダンボール紙のようなシート状材料から打ち抜かれている場合の例示である。コーナーパッド１０と物品Ｍとの関係については、図２０を参照のこと。
【００１８】
例１のコーナーパッド１５は、図１に示すような、例えば段ボール類から成るシート材料を、所定の打ち抜き型を用いて形成した、長方形状の平面形状を持つプランク１７の各部を折り曲げ、接着することによって、図２に示すような立体形状に組み立てられる。組み立てられた、２個のパッド要素１５、１５は、接続部１４にて折り曲げることにより、図３に示すようなほぼＬ字型の配置形態を取るコーナーパッド１０となる。このコーナーパッド１０は、パッド要素１５の周囲を囲む４周の側面１２が、接触面１１に掛かる荷重を負担する。
【００１９】
例２のコーナーパッド２０は、図４に示すように、物品Ｍに接する方形状の接触面２１と、その接触面２１の４周縁部に隣接し、接触面２１に掛かる荷重を負担する支持手段としての４周の側面２２とを有し、側面２２は全て同じ方向へ折り曲げられ、かつ、要所に設けた糊代２３を接着することにより、四角な角錐台形状のほぼトレイ状に形成された、パッド要素２５を３個具備している。例２のパッド要素２５も、あらかじめ一体物として３個が接続部２４で一体化した状態にあり、かつ、その接続部２４との境界線２６を折り曲げ線として折り曲げ可能である。この位置保持手段２８、２９は、複数個のパッド要素同士を、相互に直交する位置関係に配置したときに、対象とする物品と抵触しないように側面２２に設けられている、係合溝と、それと係合可能な係合腕部とから成っている。
【００２０】
例２のコーナーパッド２５は、図４に示した、例えばダンボール類から成るシート材料を、所定の打ち抜き型を用いて形成した、平面形状がほぼＬ字状の平面形状を持つプランク２７の各部を折り曲げ、接着することによって、図５に示すような立体形状に組み立てられる。組み立てられた、３個のパッド要素２５、２５、２５は、接続部２４、２４にて折り曲げることにより、図６に示すような相互に直交する配置形態を取るコーナーパッド２０となる。このコーナーパッド２０は、パッド要素２５の周囲を囲む４周の側面２２が接触面２１に掛かる荷重を負担する。例２のコーナーパッド２０は、複数個のパッド要素同士を、相互に直交する位置関係を保持する手段２８、２９を備えているので、相互に直交する配置形態を取る状態に固定する。
【００２１】
例３のコーナーパッド３０は、図７に示すように、物品Ｍに接する方形状の接触面３１と、その接触面３１の４周縁部に隣接し、接触面３１に掛かる荷重を負担する支持手段としての４周の側面３２とを有する、独立した３個のパッド要素３５から成る。各パッド要素３５の側面３２は全て同じ方向へ折り曲げられ、かつ、要所に設けた糊代３３を接着することにより、四角な角錐台形状のほぼトレイ状パッド要素３５を形成し、このパッド要素３５を３個具備する。例３のパッド要素３５は、３個が独立した状態のもので、これらを、接続部３４ａ、３４ｂ接着し一体化した状態にある。接触面３１と接続部３４ａ、３４ｂとの境界線３６は折り曲げ可能な折り曲げ線になっている。例３のものも、係合溝と、それと係合可能な係合腕部とから成る位置保持手段３８、３９を側面２２に有し、複数個のパッド要素同士を、相互に直交する位置関係に配置したときに、対象とする物品と抵触しないようにされている。
【００２２】
例３のコーナーパッド３０は、図７に示した、例えばダンボール類から成るシート材料を３個使用し、各側面３２、糊代３３を折り曲げ、糊代３３を接着することによって、図８に示すような形状に組み立てる。その後、各パッド要素３５を平面形状がほぼＬ字型になるような配置に接続部３４ａ、３４ｂにて接着する（図９）。さらに、３個のパッド要素３５、３５、３５は、接続部３４ａ、３４ｂの境界線３６にて折り曲げることにより、図１０に示すように、相互に直交する配置形態を取るコーナーパッド３０となる。この例３のコーナーパッド３０も、複数個のパッド要素同士の位置を、相互に直交する関係に保持するように、位置保持手段３８、３９により固定する。例１ないし例３までに示されたコーナーパッド１０、２０、３０は、パッド要素１５、２５、３５の周囲を囲む、１重の側面１２、２２、３２が、接触面３１に掛かる荷重を負担する。
【００２３】
これに対し、図１１に示されている例では、２重の荷重負担部を設けたものを示している。図１１は例４のコーナーパッド４０を組み立てるプランクを示しており、物品Ｍに接する方形状の接触面４１と、その接触面４１の４周縁部に隣接し、接触面４１に掛かる荷重を負担する支持手段としてパッド要素４５の４周の側面４２とを有し、側面４２は全て同じ方向へ折り曲げられ、かつ、要所に設けた糊代４３を接着することにより、四角な角錐台形状のほぼトレイ状に形成される、３個のパッド要素４５を具備している。さらに、パッド要素４５の接触面４１には、第２の荷重負担部としての凹状の部分４２−２を具備するために、取り付け部４１ａが開口している。凹状の部分４２−２は、パッド要素４５に掛かる荷重を負担し、耐荷重強度を向上するように、パッド要素４５の側面４２による高さとほぼ等しい高さの支持部４２ｂを、中央板部４２ｃの周囲に有しており、糊代４２ｄにより凹状の立体形に組み立てられる（図１２）。
【００２４】
接続片４２ｅにて取り付け部４１ａの周囲の接触面４１に接着されることにより凹状の部分４２−２を一体に備えた、例４のパッド要素４５も独立した部品であり、パッド要素４５は、３個が接続部４４ａ、４４ｂにて接着により一体化され、接続部４４ａ、４４ｂとの境界線４６を折り曲げ線として折り曲げられ、立体に組み立てられる（図１３）。このような構成を有する３個のパッド要素４５は、それぞれの位置を相互に直交する関係に保持するように、位置保持手段４８、４９により固定する（図１４）。このため、例４では、４周の側面４２とともに、凹状の部分４２−２が一体になって、２重の荷重負担部分を形成するので、これにより、耐荷重部分が約２倍に増え、耐荷重強度もまた、凹状の部分４２−２は強固な箱状構造を有しているので、ほぼ２倍又はそれ以上になると考えられる。
【００２５】
さらに、図１５により、３重の荷重負担部を設けた例５のコーナーパッド５０を組み立てるプランクを示す。例５の各パッド要素５５は、例４のものに第３の要素を追加しない段階では、基本的構成は例４のものとほぼ同じであり、物品Ｍに接する方形状の接触面５１と、その接触面５１の４周縁部に隣接し、接触面５１に掛かる荷重を負担する支持手段としてパッド要素５５の４周の側面５２とを有し、側面５２は全て同じ方向へ折り曲げ、かつ、要所に設けた糊代５３を接着することにより、四角な角錐台形状のほぼトレイ状に形成される、３個のパッド要素５５を具備している。また、パッド要素５５の接触面５１には、第２の荷重負担部としての凹状の部分５２−２を具備するために、取り付け部５１ａが開口し、凹状の部分５２−２は、パッド要素５５に掛かる荷重を負担し、耐荷重強度を向上するように、パッド要素５５の側面５２による高さとほぼ等しい高さの支持部５２ｂを、中央板部５２ｃの周囲に有している。凹状の部分は、糊代５２ｄにより凹状の立体形に組み立てられる（図１６）。
【００２６】
例５のものは、さらに、パッド要素５５に掛かる荷重を負担する第３の荷重負担部として、上記側面５２又は第２の荷重負担部である凹状の部分５２−２とほぼ同じ高さの支持材５７を具えている。この支持材５７を取り付けるために、第２に荷重負担部に、支持材取り付け部としてのスリット５２ｆが凹状の部分５２−２の一部に設けられている。支持材５７は、厚紙などからなる帯状のものを図１６に示すように例えば五角形に折り曲げ、その先端をスリット５２ｆに差し込み、必要に応じて接着することにより、各パッド要素５５に取り付けられる（図１７）。
【００２７】
例５において、パッド要素５５は、３個が接続部５４ａ、５４ｂにて接着により一体化され、接続部５４ａ、５４ｂとの境界線５６を折り曲げ線として折り曲げられ、立体に組み立てられ、さらに、それぞれの位置を相互に直交する関係に保持するように、位置保持手段５８、５９により固定する（図１８）。このため、例５では、４周の側面５２とともに、凹状の部分５２−２が一体になって、２重の荷重負担部分を形成しているものに加えて、支持材５７が２個ずつで、第３の荷重負担部分を形成しており、その先端は凹状の部分５２−２に橋渡しするように位置しているので（図１９Ａ）、これにより、耐荷重部分が約３倍に増え、支持材５７は閉じたリング状で強固であり耐荷重強度も３倍以上にすることができる。
【００２８】
本発明のものは、これまでの例１〜５によって説明したコーナーパッド１０〜５０のように構成することができるものであるが、例３ないし例５のパッド要素を任意に組み合わせて、１個のコーナーパッドを形成することも可能である。図１９Ａはその一例を示しており、同図において正面は例５のパッド要素５５を用い、上面と左側面は例４のパッド要素４５を用いて、１個のコーナーパッド６０を形成している。また、図１９Ｂにおいて正面と右側面に例４のパッド要素４５を用い、下面に例５のパッド要素５５を用いて、１個のコーナーパッド７０を形成している。図１９Ｃは、例３のパッド要素３５と例４のパッド要素から成るコーナーパッド８０の例である。
【００２９】
また、本発明の使用状態を示すために記載されている、図２０には、例４のパッド要素４０と例５のパッド要素５０を使用して、例１のようにほぼＬ字型に形成した中間部用のコーナーパッド８０の例を示している。このような必要性は実用上余り多くはないとも考えられるけれども、例えば、支持すべき物品Ｍの部位が特に重いとか、または複数個配置するスペースがないというような場合には利用価値がある。また、図２０は、例２又は例３のコーナーパッド２０又は３０を、物品Ｍの隅角部Ｔにあてがっている状態を示す。本発明に係るコーナーパッドは、このように、外装体Ｂであるダンボール箱や木箱などの内部に配置され、円筒状物品の側面と天面又は底面とが作るコーナーや、物品Ｍの中間部のコーナー、及び、物品Ｍの隅角部のコーナーに使用することができる。
【産業上の利用可能性】
【００３０】
本発明に係るコーナーパッドは、物品のコーナー部分だけではなく、物品と外装体との間に配置する詰め物のように使用可能であり、その際、物品や外装体へのパッドの固定のために、粘着テープや接着剤を併用することができる。
【図面の簡単な説明】
【００３１】
【図１】本発明に係るコーナーパッドの例１を示すプランクの平面展開図。
【図２】図１のものの組み立て状態を示す斜視図。
【図３】例１のコーナーパッドを示す斜視図。
【図４】本発明の例２を示すプランクの平面展開図。
【図５】図４のものの組み立て状態を示す斜視図。
【図６】例２のコーナーパッドを示す斜視図。
【図７】本発明の例３を示すプランクの平面展開図。
【図８】図７のものの組み立て状態を示す斜視図。
【図９】図８のものを組み合わせた状態を示す斜視図。
【図１０】例３のコーナーパッドを示す斜視図。
【図１１】本発明の例３を示すプランクの平面展開図。
【図１２】図１１のものの組み立て状態を示す斜視図。
【図１３】図１２のものを組み合わせた状態を示す斜視図。
【図１４】例４のコーナーパッドを示す斜視図。
【図１５】本発明の例４を示すプランクの平面展開図。
【図１６】図１５のものの組み立て状態を示す斜視図。
【図１７】図１６のものを組み合わせた状態を示す斜視図。
【図１８】例５のコーナーパッドを示す斜視図。
【図１９】本発明に係るコーナーパッドの他の例を示すもので、Ａは例４と例５のパッド要素からなる例、Ｂは例３、例４及び例５のパッド要素からなる例、Ｃは例３と例４のパッド要素からなる例を示す。
【図２０】本発明の使用状態を示す斜視図。
【符号の説明】
【００３２】
１０、２０、３０、４０、５０、６０、７０、８０  コーナーパッド
１１、２１、３１、４１、５１  接触面
１２、２２、３２、４２、５２  側面
１３、２３、３３、４３、５３  糊代
１４、２４、３４ａ、３４ｂ、４４ａ、３４ｂ、５４ａ、５４ｂ  接続部
１５、２５、３５、４５、５５  パッド要素
１６、２６、３６、４６、５６  境界線
１７、２７  プランク
１８、１９、２８、２９、３８、３９、４８、４９、５８、５９  位置保持手段
４１ａ、５１ａ  取り付け部
４２−２、５２−２  凹状の部分
４２ｂ、５２ｂ  支持部
４２ｃ、５２ｃ  中央板部
４２ｄ、４２ｄ  糊代
４２ｅ、５２ｅ  
５２ｆ  スリット
５７  支持材
【図１】
0004579185.tif 000002
【図２】
0004579185.tif 000003
【図３】
0004579185.tif 000004
【図４】
0004579185.tif 000005
【図５】
0004579185.tif 000006
【図６】
0004579185.tif 000007
【図７】
0004579185.tif 000008
【図８】
0004579185.tif 000009
【図９】
0004579185.tif 000010
【図１０】
0004579185.tif 000011
【図１１】
0004579185.tif 000012
【図１２】
0004579185.tif 000013
【図１３】
0004579185.tif 000014
【図１４】
0004579185.tif 000015
【図１５】
0004579185.tif 000016
【図１６】
0004579185.tif 000017
【図１７】
0004579185.tif 000018
【図１８】
0004579185.tif 000019
【図１９】
0004579185.tif 000020
【図２０】
0004579185.tif 000021